(57)【要約】【課題】小さい画面に縮小表示する場合に、視聴者が全体を可能な限り有効に把握しつつ、重要な部分の認識を可能にする。【解決手段】本発明は、画像情報と共に、画像中の幾つかの重要箇所が判明している場合に、全体を単純縮小した上に全体の表示倍率よりも大きな表示倍率で重要箇所を重ねて表示する。【選択図】      図１
2004326555.tif 000002
【特許請求の範囲】
【請求項１】
ある画面サイズを想定して作成された電子的な画像データを該想定サイズより小さなサイズの画面に縮小表示するための画像・映像加工表示方法において、
画像データ中の１つ以上のオブジェクトや領域に対して特定の情報が特徴領域情報記憶手段に設定されている場合に、
出力対象の装置から取得した画面サイズに基づいて、前記画像データを単純にサイズ縮小したデータを生成し、
前記画面サイズと前記特徴領域情報記憶手段に記憶されている情報に基づいて、画像情報記憶手段に格納されている画像データの一部を切り出して加工し、
加工された画像データの一部と前記単純にサイズ縮小したデータとを合成し、
合成されたデータを前記出力対象の装置に出力することを、特徴とする画像・映像加工表示方法。
【請求項２】
前記特徴領域情報記憶手段に、複数のオブジェクトや領域に特徴的な情報が設定され、それらの特徴を表す情報量に優劣が定まっている場合、重ねるオブジェクトや領域の表示倍率を該優劣に従って、該オブジェクトや該領域毎に変化させ、情報量の優劣と表示全体に対する特定部分の割合を対応させる請求項１記載の画像・映像加工表示方法。
【請求項３】
前記映像データを各フレーム画像データに分解し、
各フレーム画像データ１つ１つに重要なオブジェクトとその重要度が少なくとも１つ以上与えられているとき、該フレーム画像データの各々に対して、重要オブジェクトが相対的に大きくなるように画像データを生成し、
生成された前記画像データを前記映像データにおける時系列に対応するように結合し、
結合された画像データを表示する請求項１または、２記載の画像・映像加工表示方法。
【請求項４】
ある画面サイズを想定して作成された電子的な画像データを該想定サイズより小さなサイズの画面に縮小表示するための画像・映像加工表示装置であって、
映像データが格納される映像情報記憶手段と、
画像データ中の１つ以上のオブジェクトや領域に対する特定の情報を格納する特徴領域情報記憶手段と、
出力対象の装置から取得した画面サイズに基づいて、前記画像データを単純にサイズ縮小したデータを生成する縮小画像編集手段と、
前記画面サイズと前記特徴領域情報記憶手段に記憶されている情報に基づいて、映像情報記憶手段に格納されている画像データの一部を切り出して加工する領域画像編集手段と、
加工された画像データの一部と前記単純にサイズ縮小したデータとを合成する画像合成手段と、
合成されたデータを前記出力対象の装置に出力する出力手段と、
を有することを特徴とする画像・映像加工表示装置。
【請求項５】
前記特徴領域情報記憶手段は、
複数のオブジェクトや領域に特徴的な情報を有し、該特徴的な情報は、特徴を表す情報量に優劣を含み、
前記領域画像編集手段は、
前記特徴領域情報記憶手段の情報を参照して、重ねるオブジェクトや領域の表示倍率を該優劣に従って、該オブジェクトや該領域毎に変化させ、情報量の優劣と表示全体に対する特定部分の割合を対応させる手段を含む請求項４記載の画像・映像加工表示装置。
【請求項６】
前記領域画像編集手段は、
前記映像データを各フレーム画像データに分解する手段と、
各フレーム画像データ１つ１つに重要なオブジェクトとその重要度が少なくとも１つ以上与えられているとき、該フレーム画像データの各々に対して、重要オブジェクトが相対的に大きくなるように画像データを生成する手段と、有し、
前記画像合成手段は、
前記領域画像編集手段で生成された前記画像データを前記映像データにおける時系列に対応するように結合する手段を有し、
前記出力手段は、
結合された画像データを表示する手段を含む請求項４または、５記載の画像・映像加工表示装置。
【請求項７】
ある画面サイズを想定して作成された電子的な画像データを該想定サイズより小さなサイズの画面に縮小表示するための画像・映像加工表示プログラムであって、
出力対象の装置から取得した画面サイズに基づいて、前記画像データを単純にサイズ縮小したデータを生成する縮小画像編集ステップと、
前記画面サイズと、画像データ中の１つ以上のオブジェクトや領域に対する特定の情報を格納する特徴領域情報記憶手段に記憶されている情報に基づいて、映像情報記憶手段に格納されている画像データの一部を切り出して加工する領域画像編集ステップと、
加工された画像データの一部と前記単純にサイズ縮小したデータとを合成する画像合成ステップと、
合成されたデータを前記出力対象の装置に出力させる出力ステップと、
からなり、コンピュータに実行させることを特徴とする画像・映像加工表示プログラム。
【請求項８】
前記領域画像編集ステップは、
複数のオブジェクトや領域に特徴的な情報を有し、該特徴的な情報は、特徴を表す情報量の優劣を含む特徴領域情報記憶手段の情報を参照して、重ねるオブジェクトや領域の表示倍率を該優劣に従って、該オブジェクトや該領域毎に変化させ、情報量の優劣と表示全体に対する特定部分の割合を対応させるステップを含む請求項７記載の画像・映像加工表示プログラム。
【請求項９】
前記領域画像編集ステップは、
前記映像データを各フレーム画像データに分解するステップと、
各フレーム画像データ１つ１つに重要なオブジェクトとその重要度が少なくとも１つ以上与えられているとき、該フレーム画像データの各々に対して、重要オブジェクトが相対的に大きくなるように画像データを生成するステップと、を有し、
前記画像合成ステップは、
前記領域画像編集ステップで生成された前記画像データを前記映像データにおける時系列に対応するように結合するステップを有し、
前記出力ステップは、
結合された画像データを表示させるステップを含む請求項７または，８記載の画像・映像加工表示プログラム。
【請求項１０】
ある画面サイズを想定して作成された電子的な画像データを該想定サイズより小さなサイズの画面に縮小表示するための画像・映像加工表示プログラムを格納した記憶媒体であって、
出力対象の装置から取得した画面サイズに基づいて、前記画像データを単純にサイズ縮小したデータを生成する縮小画像編集ステップと、
前記画面サイズと、画像データ中の１つ以上のオブジェクトや領域に対する特定の情報を格納する特徴領域情報記憶手段に記憶されている情報に基づいて、映像情報記憶手段に格納されている画像データの一部を切り出して加工する領域画像編集ステップと、
加工された画像データの一部と前記単純にサイズ縮小したデータとを合成する画像合成ステップと、
合成されたデータを前記出力対象の装置に出力させる出力ステップと、
からなり、コンピュータに実行させるプログラムを格納したことを特徴とする画像・映像加工表示プログラムを格納した記憶媒体。
【請求項１１】
前記領域画像編集ステップは、
複数のオブジェクトや領域に特徴的な情報を有し、該特徴的な情報は、特徴を表す情報量の優劣を含む特徴領域情報記憶手段の情報を参照して、重ねるオブジェクトや領域の表示倍率を該優劣に従って、該オブジェクトや該領域毎に変化させ、情報量の優劣と表示全体に対する特定部分の割合を対応させるステップを含む請求項１０記載の画像・映像加工表示プログラムを格納した記憶媒体。
【請求項１２】
前記領域画像編集ステップは、
前記映像データを各フレーム画像データに分解するステップと、
各フレーム画像データ１つ１つに重要なオブジェクトとその重要度が少なくとも１つ以上与えられているとき、該フレーム画像データの各々に対して、重要オブジェクトが相対的に大きくなるように画像データを生成するステップと、有し、
前記画像合成ステップは、
前記領域画像編集ステップで生成された前記画像データを前記映像データにおける時系列に対応するように結合するステップを有し、
前記出力ステップは、
結合された画像データを表示させるステップを含む請求項１０または、１１記載の画像・映像加工表示プログラムを格納した記憶媒体。
【発明の詳細な説明】
【０００１】
【発明の属する技術分野】
本発明は、画像・映像加工表示方法及び装置及び画像・映像加工表示プログラム及び画像・映像加工表示プログラムを格納した記憶媒体に係り、特に、静止画像や映像を電子的に表示するための画像・映像加工表示方法及び装置及び画像・映像加工表示プログラム及び画像・映像加工表示プログラムを格納した記憶媒体に関する。
【０００２】
【従来の技術】
携帯端末やＰＤＡといった小型の表示端末が普及し、大きい画面サイズで見るための画像や映像を小さい画面で表示する機会が多くなっている。もともと大きな画面を想定して作成された画像や映像を自動の画像処理により小さい画面に表示可能なように加工配信する場合、画像や映像を目的のサイズになるように単純に縮小して表示するのが現在行われている自動処理の主流である。縮小のアルゴリズムには、例えば、最近傍法、双線形補間法、３次補間法といった既存の幾何学的変換方法がある（例えば、非特許文献１参照）。
【０００３】
また、エッジ検出技術等を利用して、地図画像上の道路部分や文字部分を検出し、縮小したときに当該部分が視覚的に消滅してしまう場合に、視覚的に違和感を生じない程度に補間する手法等が存在する。
【０００４】
また、別の表示方法として、画像情報・映像情報中に予め記述されているメタデータや、動物体追跡等の画像処理技術を利用して輝度差分量などの物理情報のみから自動生成した重要度情報を参照して、画像・画像中の特定部分（オブジェクト）を切り出して表示する方法がある。
【０００５】
【非特許文献１】
尾上守夫：画像処理ハンドブック，昭晃堂（１９８７），ｐｐ２７３−２７６
【０００６】
【発明が解決しようとする課題】
しかしながら、上記の幾何学的変換方法で単純縮小した画像では、原画像に映っているオブジェクトが大きくない場合に、当該オブジェクトが縮小されて小さく表示されるため、原画像で視覚的に認識できるような当該オブジェクトの情報が、縮小表示によって把握できなる可能性が高い。また、全体を縮小するのではなく、オブジェクトだけを切り出して表示した画像では、当該オブジェクトは原画像を閲覧するときと同程度に認識できるものの、画像全体の様相を把握することが難しいという問題がある。
【０００７】
勿論、人手によって、小さい画面用の画像コンテンツを見目良く再編集することは可能であるが、任意のサイズの端末全てに対して、ひとつひとつコンテンツを再編集することは、様々な端末が存在する昨今では現実的でない。
【０００８】
本発明は、上記の点に鑑みなされたもので、視聴者が画像情報の全体を可能な限り有効に把握しつつ、重要な部分を楽しめるようにすることが可能な画像・映像加工表示方法及び装置及び画像・映像加工表示プログラム及び画像・映像加工表示プログラムを格納した記憶媒体を提供することを目的とする。
【０００９】
【課題を解決するための手段】
図１は、本発明の原理を説明するための図である。
【００１０】
本発明は、ある画面サイズを想定して作成された電子的な画像データを該想定サイズより小さなサイズの画面に縮小表示するための画像・映像加工表示方法において、
画像データ中の１つ以上のオブジェクトや領域に対して特定の情報が特徴領域情報記憶手段に設定されている場合に、
出力対象の装置から取得した画面サイズに基づいて、画像データを単純にサイズ縮小したデータを生成し（ステップ１）、
画面サイズと特徴領域情報記憶手段に記憶されている情報に基づいて、画像情報記憶手段に格納されている画像データの一部を切り出して加工し（ステップ２）、
加工された画像データの一部と単純にサイズ縮小したデータとを合成し（ステップ３）、
合成されたデータを出力対象の装置に出力する（ステップ４）。
【００１１】
また、本発明は、特徴領域情報記憶手段に、複数のオブジェクトや領域に特徴的な情報が設定され、それらの特徴を表す情報量に優劣が定まっている場合、重ねるオブジェクトや領域の表示倍率を該優劣に従って、該オブジェクトや該領域毎に変化させ、情報量の優劣と表示全体に対する特定部分の割合を対応させる。
【００１２】
また、本発明は、映像データを各フレーム画像データに分解し、
各フレーム画像データ１つ１つに重要なオブジェクトとその重要度が少なくとも１つ以上与えられているとき、該フレーム画像データの各々に対して、重要オブジェクトが相対的に大きくなるように画像データを生成し、
生成された前記画像データを前記映像データにおける時系列に対応するように結合し、
結合された画像データを表示する。
【００１３】
図２は、本発明の原理構成図である。
【００１４】
本発明は、ある画面サイズを想定して作成された電子的な画像データを該想定サイズより小さなサイズの画面に縮小表示するための画像・映像加工表示装置であって、
映像データが格納される映像情報記憶手段１０２と、
画像データ中の１つ以上のオブジェクトや領域に対する特定の情報を格納する特徴領域情報記憶手段１０３と、
出力対象の装置から取得した画面サイズに基づいて、画像データを単純にサイズ縮小したデータを生成する縮小画像編集手段１０５と、
画面サイズと特徴領域情報記憶手段に記憶されている情報に基づいて、映像情報記憶手段に格納されている画像データの一部を切り出して加工する領域画像編集手段１０６と、
加工された画像データの一部と単純にサイズ縮小したデータとを合成する画像合成手段１０７と、
合成されたデータを出力対象の装置に出力する出力手段１０８と、を有する。
【００１５】
また、本発明の特徴領域情報記憶手段１０３は、
複数のオブジェクトや領域に特徴的な情報を有し、該特徴的な情報は、特徴を表す情報量に優劣を含み、
領域画像編集手段１０６は、
特徴領域情報記憶手段１０３の情報を参照して、重ねるオブジェクトや領域の表示倍率を該優劣に従って、該オブジェクトや該領域毎に変化させ、情報量の優劣と表示全体に対する特定部分の割合を対応させる手段を含む。
【００１６】
また、本発明の領域画像編集手段１０６は、
映像データを各フレーム画像データに分解する手段と、
各フレーム画像データ１つ１つに重要なオブジェクトとその重要度が少なくとも１つ以上与えられているとき、該フレーム画像データの各々に対して、重要オブジェクトが相対的に大きくなるように画像データを生成する手段と、有し、
画像合成手段１０７は、
領域画像編集手段１０６で生成された画像データを前記映像データにおける時系列に対応するように結合する手段を有し、
出力手段１０８は、
結合された画像データを表示する手段を含む。
【００１７】
本発明は、ある画面サイズを想定して作成された電子的な画像データを該想定サイズより小さなサイズの画面に縮小表示するための画像・映像加工表示プログラムであって、
出力対象の装置から取得した画面サイズに基づいて、画像データを単純にサイズ縮小したデータを生成する縮小画像編集ステップと、
画面サイズと、画像データ中の１つ以上のオブジェクトや領域に対する特定の情報を格納する特徴領域情報記憶手段に記憶されている情報に基づいて、映像情報記憶手段に格納されている画像データの一部を切り出して加工する領域画像編集ステップと、
加工された画像データの一部と前記単純にサイズ縮小したデータとを合成する画像合成ステップと、
合成されたデータを前記出力対象の装置に出力させる出力ステップと、
からなり、コンピュータに実行させる。
【００１８】
また、本発明の領域画像編集ステップは、
複数のオブジェクトや領域に特徴的な情報を有し、該特徴的な情報は、特徴を表す情報量の優劣を含む特徴領域情報記憶手段の情報を参照して、重ねるオブジェクトや領域の表示倍率を該優劣に従って、該オブジェクトや該領域毎に変化させ、情報量の優劣と表示全体に対する特定部分の割合を対応させるステップを含む。
【００１９】
また、本発明の領域画像編集ステップは、
映像データを各フレーム画像データに分解するステップと、
各フレーム画像データ１つ１つに重要なオブジェクトとその重要度が少なくとも１つ以上与えられているとき、該フレーム画像データの各々に対して、重要オブジェクトが相対的に大きくなるように画像データを生成するステップと、有し、
画像合成ステップは、
領域画像編集ステップで生成された前記画像データを前記映像データにおける時系列に対応するように結合するステップを有し、
出力ステップは、
結合された画像データを表示させるステップを含む。
【００２０】
本発明は、ある画面サイズを想定して作成された電子的な画像データを該想定サイズより小さなサイズの画面に縮小表示するための画像・映像加工表示プログラムを格納した記憶媒体であって、
出力対象の装置から取得した画面サイズに基づいて、前記画像データを単純にサイズ縮小したデータを生成する縮小画像編集ステップと、
前記画面サイズと、画像データ中の１つ以上のオブジェクトや領域に対する特定の情報を格納する特徴領域情報記憶手段に記憶されている情報に基づいて、映像情報記憶手段に格納されている画像データの一部を切り出して加工する領域画像編集ステップと、
加工された画像データの一部と前記単純にサイズ縮小したデータとを合成する画像合成ステップと、
合成されたデータを前記出力対象の装置に出力させる出力ステップと、
からなり、コンピュータに実行させるプログラムを格納する。
【００２１】
また、本発明の画像・映像加工表示プログラムを格納した記憶媒体の領域画像編集ステップは、
複数のオブジェクトや領域に特徴的な情報を有し、該特徴的な情報は、特徴を表す情報量の優劣を含む特徴領域情報記憶手段の情報を参照して、重ねるオブジェクトや領域の表示倍率を該優劣に従って、該オブジェクトや該領域毎に変化させ、情報量の優劣と表示全体に対する特定部分の割合を対応させるステップを含む。
【００２２】
また、本発明の画像・映像加工表示プログラムを格納した記憶媒体の領域画像編集ステップは、
映像データを各フレーム画像データに分解するステップと、
各フレーム画像データ１つ１つに重要なオブジェクトとその重要度が少なくとも１つ以上与えられているとき、該フレーム画像データの各々に対して、重要オブジェクトが相対的に大きくなるように画像データを生成するステップと、有し、
画像合成ステップは、
領域画像編集ステップで生成された前記画像データを前記映像データにおける時系列に対応するように結合するステップを有し、
出力ステップは、
結合された画像データを表示させるステップを含む。
【００２３】
上記のように、画像情報と共に画像中の幾つかの重要箇所が判明している場合に、全体を単純縮小表示した上に全体の表示倍率よりも大きな表示倍率で重要箇所を重ねて表示することで、視聴者が全体を可能な限り有効に把握しつつ、重要な部分を楽しめるようになる。
【００２４】
【発明の実施の形態】
以下、図面と共に本発明の実施の形態について説明する。
【００２５】
図３は、本発明の一実施の形態における画像・映像加工表示装置の構成を示す。同図に示す画像・映像加工表示装置は、情報格納部１０１と出力制御部１０４から構成される。
【００２６】
情報格納部１０１は、画像データを格納する映像情報格納部１０２と、オブジェクトや領域に対して設定されている特徴的な情報を格納する特徴領域情報格納部１０３から構成される。
【００２７】
出力制御部１０４は、出力装置１０９の画面サイズから取得した画面サイズを元に画像データを単純にサイズ縮小したデータを生成する縮小画像編集部１０５、画像サイズと特徴領域情報格納部１０３に格納された情報を元に、画像情報格納部１０２に格納された画像データの一部を切り出して加工する領域画像編集部１０６、縮小画像編集部１０５で生成された画像データと領域画像編集部１０６で生成された画像データを合成する画像合成部１０７、画像合成部１０７で合成された画像データを出力装置１０９に出力し、画像として表示する出力部１０８からなる。
【００２８】
上記の構成における動作を以下に具体的に説明する。
【００２９】
以下では、画像コンテンツの想定画面サイズの縦長をＨ＿ｉｎ、横長をＷ＿ｉｎ、本発明により縮小表示する出力装置１０９の画面サイズの縦長をＨ＿ｏｕｔ、横長をＷ＿ｏｕｔとして説明する。
【００３０】
今、画像中に存在するＮ個の重要オブジェクト（以下、記号Ｏ＿ｉ（ｉ＝１，２，…，Ｎ）と記す）の位置やサイズが特徴領域情報格納部１０３に格納されているとする。ここでは、処理の簡易化のため、Ｏ＿ｉの存在領域を矩形として扱い、Ｏ＿ｉの存在領域の中心座標を（Ｃ＿ｘ（Ｏ＿ｉ），Ｃ＿ｙ（Ｏ＿ｉ））、縦長をＨ（Ｏ＿ｉ），横長をＷ（Ｏ＿ｉ）とする。また、各オブジェクトＯ＿ｉには、固有の特徴情報量（以下、「重要度」と呼ぶ）μ（Ｏ＿ｉ）が割り振られているとする。重要オブジェクトの例としては、例えば、スポーツ試合を撮影した写真に写っている選手やボール（もしくは、それら各々を囲む矩形領域）、監視カメラが異常な侵入者を撮影した写真中の侵入者（もしくは、それら各々を囲む矩形領域）などがある。
【００３１】
表示用画像データの生成過程について説明する。
【００３２】
図４は、本発明の第１の実施の形態における表示用画像データ生成処理のフローチャートである。
【００３３】
まず、縮小画像編集部１０５において画像データ全体を出力画面サイズへ単純に縮小処理を行った画像データを用意し、これをＡとする（ステップ１０１）。その際、原画像の縦横比と表示画面サイズの縦横比が違う場合は、余白等を生成して補間するのが望ましい。勿論、場合によっては、縦横比を変えて縮小処理したものをＡとしてもかまわない。
【００３４】
次に、各ｉ＝１，…Ｎに対し（ステップ１０２）、オブジェクトＯ＿ｉの表示倍率を決定し（ステップ１０３）、Ｏ＿ｉを縮小処理した後の画像データＢ＿ｉを生成する。ここでは、画像Ａの生成法と同様、各オブジェクトの縦横比も保存する方向で考えることにする。勿論、場合によっては、縦横比を変えてもよい。以下、「表示倍率」といった場合，「縮小後の縦長／原画像の縦長」の値を指すものとする。
【００３５】
表示倍率を定めるための基本値Ｐ＿ｉを、例えば、以下の計算式で与える。
【００３６】
Ｐ＿ｉ＝Ｍｉｎ（Ｍａｘ（１，α＊（μ（Ｏ＿ｉ）／（Ｍａｘ＿｛ｊ＝１，…Ｎ｝
μ（Ｏ＿ｊ）））＊（Ｈ＿ｏｕｔ／Ｈ＿ｉｎ）），Ｈ＿ｏｕｔ／Ｈ（Ｏ＿ｉ），Ｗ（Ｏ＿ｉ））
ここで、αは処理毎に予め定める定数で、α＞１である。
【００３７】
中心座標（Ｃ＿ｘ（Ｏ＿ｉ），Ｃ＿ｙ（Ｏ＿ｉ）），縦長Ｈ（Ｏ＿ｉ）＊Ｐ＿ｉ，横長Ｗ（Ｏ＿ｉ）＊Ｐ＿ｉの領域にＯ＿ｉを縮小処理した画像を書き、それ以外の部分を「透明部分」とする。縦長Ｈ＿ｏｕｔ，横長Ｗ＿ｏｕｔの画像をＢ＿ｉとする。
【００３８】
上記の計算式を説明するため、図５に具体例を示す。原画像の想定表示サイズを横１０２４ピクセル×縦７６８ピクセル、表示先の画面サイズを横２５６ピクセル×縦１９２ピクセル、上記Ｐ＿ｉを算出する計算式中のαをα＝３、オブジェクトＯ＿ｉは図５の表に示した５つのみとし、それぞれの縦長と重要度は表の通りとした。
【００３９】
各オブジェクトＯ＿ｉは、全体を縮小したものより相対的にサイズが等しいか大きくなっている。また、オブジェクトの重要度が大きいほど、Ｐ＿ｉも大きな値をとり、重要度の大きなオブジェクトほど相対的にサイズが大きくなっている。上記Ｐ＿ｉを算出するための計算式は一例であり、前述の効果が得られる計算式であれば、Ｐ＿ｉを算出するために他の計算式を用いてもかまわない。
【００４０】
なお、上記の計算式のみでは、Ｏ＿ｉが画面の端に偏っている場合などに、Ｂ＿ｉを生成する際に、Ｏ＿ｉの縮小処理画像がＢ＿ｉの範囲からはみ出してしまう場合がある。そこで、そのような場合は、縮小画像を描き込む領域の中心座標を、Ｂ＿ｉの範囲に収まる範囲まで最低限のスライド処理を行って補正する。例えば、上記処理によってＣ＿ｙ（Ｏ＿ｉ）＜Ｈ（Ｏ＿ｉ）＊Ｐ＿ｉ／２となる場合は、縮小画像を描き込む領域の中心座標を、Ｂ＿ｉの範囲に収まる範囲まで最低限のスライド処理を行って補正する（ステップ１０４）。例えば、上記処理によってＣ＿ｙ（Ｏ＿ｉ）＜Ｈ（Ｏ＿ｉ）＊Ｐ＿ｉ／２となる場合、このままでは描き込まれる縮小画像は、Ｂ＿ｉの上端からＨ（Ｏ＿ｉ）＊Ｐ＿ｉ／２−Ｃ＿ｙ（Ｏ＿ｉ）分だけはみ出してしまうため、描き込む領域の中心のｙ座標を、Ｃ＿ｙ（Ｏ＿ｉ）＋Ｈ（Ｏ＿ｉ）＊Ｐ＿ｉ／２−Ｃ（Ｏ＿ｉ）とする。
【００４１】
上記の処理をｉ＝１，…，Ｎに行うことで、オブジェクトＯ＿ｉ，…，Ｏ＿Ｎに対応する縮小画像Ｂ＿１，…，Ｂ＿Ｎが生成される（ステップ１０５，１０６）。画像合成部１０７において、これらとＡを合成して、縮小表示後の画像データを生成する。具体的には、例えば、画像データのＡの上に、Ｂ＿ｉたちを画像の透明部分を除いた部分の画素を上書きしてゆく。Ｂ＿ｉを上書きしていく順序は、μ（Ｏ＿ｉ）の値の大きなオブジェクトの縮小画像の部分が、最終的な表示画像としてより残りやすいことになる。
【００４２】
［第２の実施の形態］
次に、上記の第１の実施の形態の処理を利用して、映像データに対して加工画像データ列を生成し、当該加工画像を時系列に素ってつなぎ合わせ、映像として表示する場合について説明する。
【００４３】
一般に映像データは、フレーム画像データを時系列に並べた集合体である。今、これらのフレーム画像データ中に、重要なオブジェクトとその重要度が１つ以上与えられているとする。
【００４４】
映像データを各フレーム画像データに分解し、フレーム画像データの１つ１つに対して前述の第１の実施の形態における手法により、重要オブジェクトが相対的に大きくなるような画像データを作成する。そして、それらの画像データを元々の映像データにおける時系列に対応するように結合し、映像データとし、表示する。
【００４５】
実際には、分解処理及び結合処理は必須ではなく、例えば、出力する際に、リアルタイムで加工表示するような実装形態も可能である。
【００４６】
なお、上記の第１の実施の形態及び第２の実施の形態における、映像情報格納部１０２、特徴領域情報格納部１０３をデーターベース等の記憶装置で構成し、縮小画像編集部１０５、領域画像編集部１０６、画像合成部１０７、出力部１０８の動作をプログラムとして構築し、画像・映像加工表示装置として利用されるコンピュータにインストールし、ＣＰＵ等の制御手段により実行する、または、ネットワークを介して流通させることも可能である。
【００４７】
また、構築されたプログラムを画像・映像加工表示装置として利用されるコンピュータに接続されるハードディスク装置や、フレキシブルディスク、ＣＤ−ＲＯＭ等の可搬記憶媒体に格納しておき、実行時にコンピュータにインストールし、ＣＰＵ等の制御手段により実行することも可能である。
【００４８】
なお、本発明は、上記の実施の形態に限定されることなく、特許請求の範囲内において、種々変更・応用が可能である。
【００４９】
【発明の効果】
図６は、本発明の縮小表示方法の効果を説明するための図である。同図において、原画像４０１に対し、オブジェクト説明画像４０２のように、オブジェクトＯ＿１，Ｏ＿２，Ｏ＿３が指定されており、重要度がそれぞれ１００，５０，２０であるとする。単純縮小表示した画像列４０３と、本発明の方法により縮小表示した画像列４０４を並べて示した。単純縮小表示に比べ、本発明の方法では、オブジェクトの形状が詳細に判別でき、かつ、オブジェクトと周囲の相対位置等は、最大限に保存されている。従って、視聴者は、全体の状況と重要オブジェクトの詳細な視覚情報とを同時に楽しむことができる。
【図面の簡単な説明】
【図１】本発明の原理を説明するための図である。
【図２】本発明の原理構成図である。
【図３】本発明の第１の実施の形態における画像・映像加工表示装置の構成図である。
【図４】本発明の第１の実施の形態における表示用画像データ生成処理のフローチャートである。
【図５】本発明の第１の実施の形態における基本値Ｐ＿ｉを求める計算式を説明するための図である。
【図６】本発明の縮小表示方法の効果を説明するための図である。
【符号の説明】
１０１  情報格納部
１０２  映像情報記憶手段、映像情報格納部
１０３  特徴領域情報記憶手段、特徴領域情報格納部
１０４  出力制御部
１０５  縮小画像編集手段、縮小画像編集部
１０６  領域画像編集手段、領域画像編集部
１０７  画像合成手段、画像合成部
１０８  出力手段、出力部
１０９  出力装置
４０１  原画像
４０２  オブジェクト説明画像
４０３  単純縮小画像例
４０４  本発明による画像
【図１】
2004326555.tif 000003
【図２】
2004326555.tif 000004
【図３】
2004326555.tif 000005
【図４】
2004326555.tif 000006
【図５】
2004326555.tif 000007
【図６】
2004326555.tif 000008